【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
ネットワーク接続手段を備え、該ネットワーク接続手段を介して他の装置との間でデータストリームの送信、或いは受信を行う通信装置であって、
前記ネットワーク上のＤＨＣＰサーバよりＩＰアドレスを取得すると共に、取得したＩＰアドレスのリース期限前にＩＰアドレスの更新要求を行うＤＨＣＰクライアント手段と、
該ＤＨＣＰクライアント手段により前記ＤＨＣＰサーバよりＩＰアドレスの取得が失敗したとき、ＩＰアドレスを自身で生成するＩＰアドレス生成手段と、
前記ＤＨＣＰクライアント手段により、ＤＨＣＰサーバに対する更新要求が失敗したとき、通信相手装置との間でデータストリームの通信中であるか否かを判断する判断手段と、
該判断手段でデータストリームの通信中であると判断した場合には、当該データストリームの通信が完了するまでは従前に利用していたＩＰアドレスを維持し、前記判断手段でデータストリームの通信中ではない、又は、データストリームの通信が完了した場合、前記ＩＰアドレス生成手段により自身のＩＰアドレスを生成し、ネットワークへの接続を維持する制御手段と
を備えることを特徴とする通信装置。
【請求項２】
前記ネットワークは、ＵＰｎＰネットワークであることを特徴とする請求項１に記載の通信装置。
【請求項３】
前記ネットワーク接続手段は、ＩＥＥＥ８０２.１１ａ，ｂ，ｇ、UltraWideBand、或いは、Bluetoothのいずれかの無線ネットワークインターフェースであることを特徴とする請求項１又は２に記載の通信装置。
【請求項４】
更に、前記通信相手装置と通信中に、当該通信相手装置に接続確認メッセージを送信して、その応答があるか否かで接続確認の判定を行う第１の判定手段と、
前記ネットワーク上に存在する他の装置から、ネットワーク離脱を宣言するメッセージを受信したか否かを判定する第２の判定手段と、
前記第１の判定手段で前記通信相手装置との接続の確認ができないと判定した場合、又は、前記第２の判定手段でネットワーク離脱を宣言するメッセージを受信したと判定した場合、前記ＤＨＣＰサーバにＩＰアドレスの更新要求を行うＩＰアドレス更新要求手段と、
該ＩＰアドレス更新要求手段による更新に失敗した場合には、データストリームの通信完了を待って前記ＩＰアドレス生成手段により自身のＩＰアドレスを生成し、ネットワークへの接続を維持する第２の制御手段と
を備えることを特徴とする請求項１乃至３のいずれか１項に記載の通信装置。
【請求項５】
ネットワーク接続手段を備え、該ネットワーク接続手段を介して他の装置との間でデータストリームの送信、或いは受信を行う通信装置の制御方法であって、
前記ネットワーク上のＤＨＣＰサーバよりＩＰアドレスを取得すると共に、取得したＩＰアドレスのリース期限前にＩＰアドレスの更新要求を行うＤＨＣＰクライアント工程と、
該ＤＨＣＰクライアント工程により前記ＤＨＣＰサーバよりＩＰアドレスの取得が失敗したとき、ＩＰアドレスを自身で生成するＩＰアドレス生成工程と、
前記ＤＨＣＰクライアント工程により、ＤＨＣＰサーバに対する更新要求が失敗したとき、通信相手装置との間でデータストリームの通信中であるか否かを判断する判断工程と、
該判断工程でデータストリームの通信中であると判断した場合には、当該データストリームの通信が完了するまでは従前に利用していたＩＰアドレスを維持し、前記判断工程でデータストリームの通信中ではない、又は、データストリームの通信が完了した場合、前記ＩＰアドレス生成工程により自身のＩＰアドレスを生成し、ネットワークへの接続を維持する制御工程と
を備えることを特徴とする通信装置の制御方法。
【請求項６】
ネットワーク接続手段を備えたコンピュータが読込み実行することで、前記コンピュータを、該ネットワーク接続手段を介して他の装置との間でデータストリームの送信、或いは受信を行う為の通信装置として機能させるコンピュータプログラムであって、
前記ネットワーク上のＤＨＣＰサーバよりＩＰアドレスを取得すると共に、取得したＩＰアドレスのリース期限前にＩＰアドレスの更新要求を行うＤＨＣＰクライアント手段と、
該ＤＨＣＰクライアント手段により前記ＤＨＣＰサーバよりＩＰアドレスの取得が失敗したとき、ＩＰアドレスを自身で生成するＩＰアドレス生成手段と、
前記ＤＨＣＰクライアント手段により、ＤＨＣＰサーバに対する更新要求が失敗したとき、通信相手装置との間でデータストリームの通信中であるか否かを判断する判断手段と、
該判断手段でデータストリームの通信中であると判断した場合には、当該データストリームの通信が完了するまでは従前に利用していたＩＰアドレスを維持し、前記判断手段でデータストリームの通信中ではない、又は、データストリームの通信が完了した場合、前記ＩＰアドレス生成手段により自身のＩＰアドレスを生成し、ネットワークへの接続を維持する制御手段
として機能させることを特徴とするコンピュータプログラム。
【請求項７】
請求項６に記載のコンピュータプログラムを格納したことを特徴とするコンピュータ可読記憶媒体。
【請求項８】
撮像手段と、撮像した映像情報を所定の記憶媒体に記憶する記憶手段と、ネットワーク接続手段と、該ネットワーク接続手段で接続されたネットワーク上の制御装置からの指示に従い、前記記憶手段に記憶された映像情報を映像ストリームとして、前記ネットワーク上の再生装置に送信するストリーム送信手段とを備える撮像装置であって、
前記ネットワーク上のＤＨＣＰサーバよりＩＰアドレスを取得すると共に、取得したＩＰアドレスのリース期限前にＩＰアドレスの更新要求を行うＤＨＣＰクライアント手段と、
該ＤＨＣＰクライアント手段により前記ＤＨＣＰサーバよりＩＰアドレスの取得が失敗したとき、ＩＰアドレスを自身で生成するＩＰアドレス生成手段と、
前記ＤＨＣＰクライアント手段により、ＤＨＣＰサーバに対する更新要求が失敗したとき、前記再生装置に映像ストリームの通信中であるか否かを判断する判断手段と、
該判断手段で映像ストリームの通信中であると判断した場合には、当該データストリームの通信が完了するまでは従前に利用していたＩＰアドレスを維持し、前記判断手段でデータストリームの通信中ではない、又は、データストリームの通信が完了した場合、前記ＩＰアドレス生成手段により自身のＩＰアドレスを生成し、ネットワークへの接続を維持する制御手段と
を備えることを特徴とする撮像装置。
【請求項９】
撮像手段と、撮像した映像情報を所定の記憶媒体に記憶する記憶手段と、ネットワーク接続手段と、該ネットワーク接続手段で接続されたネットワーク上の制御装置からの指示に従い、前記記憶手段に記憶された映像情報を映像ストリームとして、前記ネットワーク上の再生装置に送信するストリーム送信手段とを備える撮像装置の制御方法であって、
前記ネットワーク上のＤＨＣＰサーバよりＩＰアドレスを取得すると共に、取得したＩＰアドレスのリース期限前にＩＰアドレスの更新要求を行うＤＨＣＰクライアント工程と、
該ＤＨＣＰクライアント工程により前記ＤＨＣＰサーバよりＩＰアドレスの取得が失敗したとき、ＩＰアドレスを自身で生成するＩＰアドレス生成工程と、
前記ＤＨＣＰクライアント手段により、ＤＨＣＰサーバに対する更新要求が失敗したとき、前記再生装置に映像ストリームの通信中であるか否かを判断する判断工程と、
該判断工程で映像ストリームの通信中であると判断した場合には、当該データストリームの通信が完了するまでは従前に利用していたＩＰアドレスを維持し、前記判断工程でデータストリームの通信中ではない、又は、データストリームの通信が完了した場合、前記ＩＰアドレス生成工程により自身のＩＰアドレスを生成し、ネットワークへの接続を維持する制御工程と
を備えることを特徴とする撮像装置の制御方法。
【手続補正２】
【補正対象書類名】明細書
【補正対象項目名】００１８
【補正方法】変更
【補正の内容】
【００１８】
上記問題を解決するため、例えば本発明の通信装置は以下の構成を備える。すなわち、
ネットワーク接続手段を備え、該ネットワーク接続手段を介して他の装置との間でデータストリームの送信、或いは受信を行う通信装置であって、
前記ネットワーク上のＤＨＣＰサーバよりＩＰアドレスを取得すると共に、取得したＩＰアドレスのリース期限前にＩＰアドレスの更新要求を行うＤＨＣＰクライアント手段と、
該ＤＨＣＰクライアント手段により前記ＤＨＣＰサーバよりＩＰアドレスの取得が失敗したとき、ＩＰアドレスを自身で生成するＩＰアドレス生成手段と、
前記ＤＨＣＰクライアント手段により、ＤＨＣＰサーバに対する更新要求が失敗したとき、通信相手装置との間でデータストリームの通信中であるか否かを判断する判断手段と、
該判断手段でデータストリームの通信中であると判断した場合には、当該データストリームの通信が完了するまでは従前に利用していたＩＰアドレスを維持し、前記判断手段でデータストリームの通信中ではない、又は、データストリームの通信が完了した場合、前記ＩＰアドレス生成手段により自身のＩＰアドレスを生成し、ネットワークへの接続を維持する制御手段とを備える。